(57)【要約】    【課題】  ノズル体をコンパクトに構成すると共に、ノズル体回りの重心を低く抑えた電気掃除機を提供する。    【解決手段】  集塵部13が着脱自在に設けられたノズル体３と、このノズル体３に対してヒンジ部４を介して回動自在に設けられ且つ内部に回転羽根22、電動機23を備えた電動送風機８が設けられた動力部５と、この動力部５に設けられた棒状の把持体６とを有すると共に、前記動力部５を前記ヒンジ部４に対して隣接ないし近接して設ける。これによって、前記ヒンジ部４に隣接して設けられた前記動力部５内の電動送風機８の被清掃面Ａからの高さｈを低くして重心を低く抑えられるばかりでなく、前記ノズル体３が大型化しないので、前記ノズル体３を被清掃面Ａに沿って動かす際の取り回し性が良く、前記把持体６を握る手元が重いということがなく、操作性を向上することができる。    【選択図】  図２
2005198909.tif 000002
【特許請求の範囲】
【請求項１】
集塵部が着脱自在に設けられたノズル体と、このノズル体に対してヒンジ部を介して回動自在に設けられ且つ内部に電動送風機が設けられた動力部と、この動力部に設けられた棒状の把持体とを有すると共に、前記動力部を前記ヒンジ部に対して隣接ないし近接して設けたことを特徴とする電気掃除機。
【請求項２】
電池部を前記ノズル体の内部に設けたことを特徴とする請求項１記載の電気掃除機。
【請求項３】
前記ヒンジ部に対して隣接ないし近接して設けられる前記動力部を前記把持体と一体的に設けたことを特徴とする請求項１又は２記載の電気掃除機。
【発明の詳細な説明】
【技術分野】
【０００１】
本発明は、床等の塵埃を吸引するための電気掃除機に関するものである。
【背景技術】
【０００２】
従来のこの種の電気掃除機として、塵埃を吸引するための吸い込み口が本体（ノズル体）の底面の前方に開口して設けられ、前記本体内に電動送風機が内蔵され、吸引された塵埃を濾過するためのフィルタ−を有する集塵ケ−ス（集塵部）が前記吸い込み口と電動送風機の間に着脱自在に取着されると共に、前記本体に対して可動の操作ハンドル（把持体）を取着したものが公知である（特許文献１）。
【０００３】
また、塵埃を吸引するための吸引風を発生させるための電動送風機を備えた掃除機本体（動力部）と、塵埃を吸引する下方開口の吸い込み口を有する吸口体（ノズル体）と、一端を前記電動送風機に連通させ他端を前記吸い込み口に連通させた連通管から構成されると共に、前記吸口体に塵埃を集塵する集塵部を設けることで吸い込み口から集塵部までの吸引通路が短くなるように形成したものであって、掃除機本体に把手部（把持体）を形成し、把手部より前方に電動送風機を、把手部より後部に電池を収納する電池収納部を設けたものも公知である（特許文献２）。
【特許文献１】特許３２０４２２０号公報
【特許文献２】特開２００２−３５５１９６号公報
【発明の開示】
【発明が解決しようとする課題】
【０００４】
しかしながら、特許文献１の電気掃除機では、吸い込み口が設けられた掃除機の本体に、電動送風機や集塵ケース等も設けられるため、本体が大型化してしまうという問題があった。そして、本体が大型化してしまうと、床上で掃除機が扱いにくくなり、掃除を行いにくいという問題があった。また、特許文献２の電気掃除機では、電動送風機が吸口体から離れて把手の近傍に配されているため、重心が高くなってしまい、掃除の最中に使用者の手に加わる荷重が大きくなることで疲れやすいという問題があった。また、吸口体と電動送風機との間に連通管が存在するため、吸口体と電動送風機との距離が大きくなってしまい、このため、強力な電動送風機を用いる必要があるので、使用者の手に加わる荷重がますます大きくなってしまうという問題があった。
【０００５】
本発明は以上の問題点を解決し、ノズル体をコンパクトに構成すると共に、ノズル体回りの重心を低く抑えた電気掃除機を提供することを目的とする。
【課題を解決するための手段】
【０００６】
本発明の請求項１に記載の電気掃除機は、集塵部が着脱自在に設けられたノズル体と、このノズル体に対してヒンジ部を介して回動自在に設けられ且つ内部に電動送風機が設けられた動力部と、この動力部に設けられた棒状の把持体とを有すると共に、前記動力部を前記ヒンジ部に対して隣接ないし近接して設けたものである。
【０００７】
また、本発明の請求項２に記載の電気掃除機は、電池部を前記ノズル体の内部に設けたものである。
【０００８】
さらに、本発明の請求項３に記載の電気掃除機は、前記ヒンジ部に対して隣接ないし近接して設けられる前記動力部を前記把持体と一体的に設けたものである。
【発明の効果】
【０００９】
本発明の請求項１に記載の電気掃除機は、以上のように構成することにより、前記ノズル体を被清掃面に載置して前記電動送風機を作動させ、前記把持部を把持して前記ノズル体を被清掃面に沿って動かすことで、前記電動送風機が発生させた気流によって被清掃面上の塵埃が吸引され、前記集塵部に溜められる。そしてこの時、前記ノズル体が、内部に前記電動送風機が設けられていないことによって比較的コンパクトに構成されていることで、電気掃除機が扱い易くなると共に、前記ノズル体に設けられたヒンジ部に対して前記動力部が隣接ないし近接して設けられていることで、前記ノズル体と電動送風機との間の距離が短くなることで小型の電動送風機を用いることが可能となるので、電気掃除機全体が小型化されてより扱い易くすることができるばかりでなく、前記電動送風機の位置を低くして重心を低く抑えることで、より扱い易くすることができる。
【００１０】
また、本発明の請求項２に記載の電気掃除機は、前記ノズル体内に、前記電動送風機からの距離が短いノズル体に前記電動送風機を駆動するための電池部が設けられていることで、重心をより低くして扱い易くすることができるばかりでなく、配線の長さが短くなることで構造を単純化することができる。
【００１１】
さらに、本発明の請求項３に記載の電気掃除機は、前記ヒンジ部に対して隣接ないし近接して設けられる動力部を把持体と一体的に設けることで、動力部、把持体の回りをコンパクトに形成することができる。
【発明を実施するための最良の形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１３】
以下、本発明の実施例１について、図１乃至図３に基づいて説明する。電気掃除機１は、吸い込み口２を備えたノズル体３と、このノズル体３に対して基端をヒンジ部４を介して設けた動力部５と、この動力部５の先端に設けられる棒状の把持体６を備える。前記ノズル体３は、平面形状がほぼ矩形で偏平なケース本体７の前部下面に前記吸い込み口２が幅方向に形成されており、前記動力部５には電動送風機８が内蔵されている。さらに、前記把持体６の先端には把持部９が斜め後方に向けて設けられている。
【００１４】
前記ケース本体７の後部には、前記ヒンジ部４を回動可能に嵌合するヒンジ受け部10が設けられるものであって、前記ヒンジ部４は前記ヒンジ受け部10より抜け止めされて回動自在に設けられている。前記ヒンジ部４及びヒンジ受け部10は、それぞれ摺動する凸状円弧面、凹状円弧面によって形成したものであって、このヒンジ部４及びヒンジ受け部10の中心軸線Ｘは、前記ノズル体３の幅方向を向くように水平に配置されている。そして、前記中心軸線Ｘに対して、前記把持体６の軸芯Ｙは、正面側より見ると直交しており、前記把持体６は前記中心軸線Ｘを回転中心として上下方向に回動することができるようになっている。尚、前記吸い込み口２には回転ブラシ11が設けられると共に、この回転ブラシ11の後方に連通口２Ａが開口している。また、前記ヒンジ受け部10の前部に連通口12が開口している。
【００１５】
そして、前記吸い込み口２とヒンジ部４側の連通口12との間に、箱形の集塵部13を設ける。この集塵部13は、前記吸い込み口２の連通口２Ａに臨んで前面部に入口14が設けられると共に、前記連通口12に臨んで後面部に出口15が設けられ、そして、この出口15には塵埃を捕捉するための集塵用のフィルタ16が設けられている。尚、前記集塵部13は、図３で示すように、前記ケース本体７に対して着脱自在に設けられると共に、前面に前記入口14を設けて後方に後部開口17を形成した集塵ケース本体18と、前記後部開口17に着脱自在に設けられ前記連通口12に対向するようにフィルタ16を配置した蓋板19を備えており、この蓋板19を外すことで、前記集塵部13内部に溜まった塵埃を前記後部開口17より排出できるようになっている。尚、20は連通口12に設けた補助フィルタである。
【００１６】
前記ヒンジ部４に対して隣接して設けられる動力部５は、前記ヒンジ部４の後方に設けられ縦断面が下方へ幅が広がるような形状、具体的には略三角錐の収容ケース21と、この収容ケース21の基端側に回転自在に内蔵した送風用の回転羽根22と、前記収容ケース21の先端側に設けられ前記回転羽根22を回転駆動する電動機23とを備え、前記回転羽根22の１次側は連通口12に貫通孔状の１次側通路24を介して接続しており、一方回転羽根22の２次側通路25は収容ケース21の外周に設けた貫通孔状の排気路26に接続している。尚、ここで云う「隣接」とは、前記ヒンジ部４と動力部５とが隣り合い、これらの間に、これらヒンジ部４の一部と動力部５の一部によって構成される要素（例えば、回動軸受構造等）以外の要素が介在しない状態を指す。そして、前記回転羽根22と電動機23により前記電動送風機８が形成され、また前記１次側通路24は円筒状をなした前記ヒンジ部４を貫通するように形成されている。また、前記収容ケース21の下方に位置する基端27側、さらには電動送風機８の一部を形成する回転羽根22は、１点鎖線で示すように、前記ヒンジ部４における凸状円弧面の延長仮想線Ｚの内側（中心軸線Ｘ側）に及んでいる。そして、前記収容ケース21は、前記ヒンジ部４に対して、前記中心軸線Ｘと直交する図示しない軸回りに回動可能に取り付けられている。尚、前記回転羽根22の中心及び前記電動機23の回転軸は、前記軸芯Ｙ上に配置されている。さらに、前記電動機23に給電するための電池部28が、前記ノズル体３に内蔵されている。このため、前記電気掃除機１は、前記動力部５の電動機23を作動させることにより、前記回転羽根22が回転して吸引作用をなし、被清掃面Ａの塵埃が前記吸い込み口２から前記集塵部13に吸引されて前記フィルタ16により捕捉され、このフィルタ16を通過した清浄な空気が前記連通口12、１次側連通路24、回転羽根22、さらには前記２次側通路25、排気路26を経て外部に排気されるようになっている。
【００１７】
さらに、前記収容ケース21の先端には、比較的長尺な棒状の前記把持体６の基端29が直列状に接続されている。そして、前記把持体６は、上下部を二重管状として伸縮自在に設けられると共に、中間部にストッパー29Ａを設けて所望長さに固定できるようになっている。尚、前記電気掃除機１の使用時において、前記把持体６を前記被清掃面Ａに対して直立させたとき、前記把持体６の先端、具体的には前記把持部９の先端の高さＨは、前記被清掃面Ａから略１ｍ、具体的には０．７〜１．３ｍの範囲内になるようになっている。尚、前記動力部５は、前記電気掃除機１の重心を低くするために、前記ノズル体３に近い低い位置に設けられている。本実施形態では、前記把持体６を直立させたときに、前記被清掃面Ａからの前記動力部５、具体的には前記電動機23の中心の高さｈが、前記高さＨの１／３以内（ｈ≦Ｈ／３）となるように、前記動力部５は前記ヒンジ部４に対して取り付けられている。尚、図中30は前記ノズル体３の底面の前後部に設けた車輪を示し、また、図中31は前記電気掃除機１の充電台を示しており、この充電台31には電源プラグ32が接続されている。そして、前記充電台31上に前記ノズル体３をセットすることにより、前記充電台31側の図示しない給電用接点が前記ノズル体３側の図示しない受電用接点に接触して、前記電気掃除機１を使用していないときに前記電池部28を充電するようになっている。
【００１８】
次に、前記構成について、その作用を説明する。前記把持部９を握って前記電気掃除機１の図示しないスイッチをオンすると共に、前記電気掃除機１を床等の被清掃面Ａ上で前後に移動させることにより、前記電池部28より給電されて前記電動機23が作動して前記回転羽根22が回転し、前記被清掃面Ａにある塵埃は外気と共に前記吸い込み口２から前記連通口２Ａを経て前記集塵部13に吸引される。尚、前記把持部９を握って電気掃除機を前後に移動させると、前記ヒンジ部４が前記ヒンジ受け部10に対して摺動することで、前記把持体６は中心軸線Ｘを回転中心として回動する。そして、前記吸い込み口２から吸引された塵埃は、前記集塵部13内において、前記フィルタ16によって捕捉されて溜められる。さらに、前記フィルタ16を通過した気流は、前記連通口12から１次側通路24、回転羽根22側に至り、さらに２次側通路25を介して排気路26から排気される。そして、前記気流が前記連通口12に至る際、前記フィルタ16によって捕捉されなかった塵埃が、前記補助フィルタ20によって捕捉される。
【００１９】
そして、前記ノズル体３の内部に前記電動送風機８が設けられておらず、前記ノズル体３に設けられた前記ヒンジ体４に隣接する動力部５に前記電動送風機８が設けられていることによって、前記ノズル体３自体が比較的コンパクトに構成される。このため、床清掃の際の、前記電気掃除機１の被清掃面Ａ上での取り回し性を向上させることができる。また、前記ノズル体３に設けられた前記ヒンジ部４に対して、前記動力部５が隣接して設けられていることで、前記ノズル体３と電動送風機８との間の距離が短くなり、両者間における気流の抵抗を可及的に小さくできるばかりでなく、前記ヒンジ部４と前記動力部５の収容ケース21とを隣接して設けることで、前記電動送風機８の被清掃面Ａからの高さ、具体的には被清掃面Ａから電動機23の中心までの高さｈを低くして、前記電気掃除機１の重心を低く抑えることができる。このため、床清掃の際の、前記電気掃除機１の被清掃面Ａ上での取り回し性を更に向上させることができる。また、もう一つの重量物である前記電池部28も、前記ノズル体３に収容されているので、前記電気掃除機１の重心をより低く抑えることができ、これによって、床清掃の際の、前記電気掃除機１の被清掃面Ａ上での取り回し性を更に向上させることができる。
【００２０】
以上のように前記実施例では、前記ヒンジ部４に前記動力部５の収容ケース21を隣接して設けることで、前記電動送風機８の被清掃面Ａからの高さｈが低くなり重心が低く抑えられると共に前記ノズル体３が大型化しないので、前記ノズル体３を被清掃面Ａに沿って動かす際に、前記電気掃除機１の取り回しが容易で比較的狭い場所でも清掃できると共に、前記把持体６を握る手元が重いということがなく、操作性を向上することができる。
【００２１】
さらに、前記電気掃除機１を充電式とすると共に、充電用の前記電池部28を前記ノズル体３の内部に設けたことにより、前記電気掃除機１全体の重心をより低くして扱い易くし、さらに、前記電動送風機８と電池部28との配線の長さが短くなることで構造を単純化することができる。
【実施例２】
【００２２】
次に、本発明の実施例２について、図４に基づいて説明する。尚、前記実施例１と同一部分には同一符号を付し、その詳細な説明を省略する。実施例２において、動力部５を設けた収容ケース21は、１次側通路24を形成した接続管41を介してヒンジ部４に接続されている。尚、電気掃除機１の使用時において、把持体６を被清掃面Ａに対して直立させたとき、前記把持体６の先端、具体的には把持部９の先端の高さＨは、前記被清掃面Ａから０．７〜１．３ｍの範囲内になるように、前記収容ケース21の先端に一体的に接続されている。尚、前記動力部５は、前記電気掃除機１の重心を低くするために、前記ノズル体３に近い低い位置に設けられている。本実施形態では、前記把持体６を直立させたときに、前記被清掃面Ａからの前記動力部５、具体的には前記電動機23の中心の高さｈ´が、前記高さＨの１／３以内（ｈ´≦Ｈ／３）となるように、前記動力部５は前記ヒンジ部４に対して近接して取り付けられている。
【００２３】
従って、実施例２においては、前記ヒンジ部４と前記動力部５の収容ケース21との間に前記接続管41が介在することで前記ヒンジ部４と動力部５が近接するものの、実施例１と同様に、前記動力部５の収容ケース21内に収容された前記電動送風機８の被清掃面Ａからの高さｈ´が低くなり重心が低く抑えられると共に前記ノズル体３が大型化しないので、前記ノズル体３を被清掃面Ａに沿って動かす際に、前記電気掃除機１の取り回しが容易で比較的狭い場所でも清掃できると共に、前記把持体６を握る手元が重いということがなく、操作性を向上することができる。
【００２４】
さらに、前記ヒンジ部４に対して近接して設けられる前記動力部５を前記把持体６と一体的に設けることで、前記収容ケース21を前記把持体６の一部分として共用でき、前記動力部５、把持体６の回りをコンパクトに形成することができる。
【産業上の利用可能性】
【００２５】
以上のように本発明にかかる電気掃除機は、充電型電気掃除機の他にコード付きの電気掃除機などの用途にも適用できる。また、前記ヒンジ部と動力部とが隣接ないし近接した状態で、これらを一体に形成しても良い。
【図面の簡単な説明】
【００２６】
【図１】本発明の実施例１を示す側面図である。
【図２】本発明の実施例１を示す要部の断面図である。
【図３】本発明の実施例１を示す要部の分解斜視図である。
【図４】本発明の実施例２を示す側面図である。
【符号の説明】
【００２７】
１  電気掃除機
３  ノズル体
４  ヒンジ部
５  動力部
６  把持体
８  電動送風機
13  集塵部
28  電池部
【図１】
2005198909.tif 000003
【図２】
2005198909.tif 000004
【図３】
2005198909.tif 000005
【図４】
2005198909.tif 000006